(57)【要約】【課題】少ない部品を合理的に結合し、強靭な錠前用デッドボルトの構造を得ること。【解決手段】断面チャンネル形状の枠状胴体１の前後に第１及び第２被係合部５，７を形成し、中央板部２１の両端部にそれぞれ連設しかつ前記第１及び第２被係合部５，７にそれぞれ係合する第１及び第２係合部２６，２７を有するアーム状芯棒２０を、該枠状胴体１の空間内に密着状態に組み込み、また、枠状胴体１の先端部側に該枠状胴体１と密着状態に合体するアングル状嵌合アーム部３２を有する嵌合板３０を差し込み、さらに、嵌合板３０並びに枠状胴体１の先端部を包むようにキャップ状係合頭部４０を、その係止突起４５が枠状胴体の第３被係合部９に対して係止状態に係合するように該枠状胴体に外嵌合したことを特徴とする錠前用デッドボルトの構造。【選択図】　図３
2004068339.tif 000002
【特許請求の範囲】
【請求項１】
断面チャンネル形状の枠状胴体１の前後に第１及び第２被係合部５，７を形成し、中央板部２１の両端部にそれぞれ連設しかつ前記第１及び第２被係合部５，７にそれぞれ係合する第１及び第２係合部２６，２７を有するアーム状芯棒２０を、該枠状胴体１の空間内に密着状態に組み込み、また、枠状胴体１の先端部側に該枠状胴体１と密着状態に合体するアングル状嵌合アーム部３２を有する嵌合板３０を差し込み、さらに、嵌合板３０並びに枠状胴体１の先端部を包むようにキャップ状係合頭部４０を、その係止突起４５が枠状胴体の第３被係合部９に対して係止状態に係合するように該枠状胴体に外嵌合したことを特徴とする錠前用デッドボルトの構造。
【請求項２】
請求項１に於いて、アーム状芯棒２０の第１係合部２６は、中央板部２１の後端部に連設するアングル状板部２５に爪状に設けられ、一方、アーム状芯棒２０の第２係合部２７は中央板部２１の先端部に連設する係合板部２３に耳状に設けられていることを特徴とする錠前用デッドボルトの構造。
【請求項３】
請求項１に於いて、嵌合板３０は、枠状胴体１の中央ベース板部２の先端部下面に添うように係合する下係合板部３１と、この下係合板部３１の先端部に連設しかつ枠状胴体の先端部内に入り込むアングル状嵌合アーム部３２とから成ることを特徴とする錠前用デッドボルトの構造。
【請求項４】
請求項３に於いて、嵌合アーム部３２の立ち上がり部の中央部には、枠状胴体１の先端部に形成された同一受け面６，６に当接する左右一対の小突起３４，３４が設けられていることを特徴とする錠前用デッドボルトの構造。
【発明の詳細な説明】
【０００１】
【発明の属する技術分野】
本発明は、開閉戸に取付けられる錠前用デッドボルトの構造に関する。
【０００２】
【従来の技術】
泥棒が留守宅に侵入する場合、ピッキング行為だけではなく、バールを用いて錠箱を破壊することもある。泥棒が錠箱を破壊する場合に、ストライク側に突出したデッドボルトが障害となっているから、普通一般にデッド窓（フロント板の窓など）を有する錠箱の前壁と戸枠のたて枠との間の隙間にバールの先端部を無理やり差し込み、かつ、デッドボルトに対して錠箱のケース身の室内側に向かって「ドーン、ドーン」と力を入れてこじ開けようとする。この場合デッドボルトに交差した側圧力がケース身のデッド窓の縁部に集中してかかるので、ケース身が破壊したり、またデッドボルト自体が中途部から折れ曲がったりする。そこで、現在、強靭なデッドボルトを簡単に得ることが要望されている。
【０００３】
【発明が解決しようとする課題】
本発明の第１の目的は、各構成部品を合理的に組み合わせ、色々な方向から力が加わっても容易に変形しない強靭なデッドボルトを得ることができることである。本発明の第２の目的は、４個の部品を用い、いわゆるワンタッチ方式で簡単に各部材を強固に結合することである。
【０００４】
【課題を解決するための手段】
本発明の錠前用デッドボルトの構造は、断面チャンネル形状の枠状胴体１の前後に第１及び第２被係合部５，７を形成し、中央板部２１の両端部にそれぞれ連設しかつ前記第１及び第２被係合部５，７にそれぞれ係合する第１及び第２係合部２６，２７を有するアーム状芯棒２０を、該枠状胴体１の空間内に密着状態に組み込み、また、枠状胴体１の先端部側に該枠状胴体１と密着状態に合体するアングル状嵌合アーム部３２を有する嵌合板３０を差し込み、さらに、嵌合板３０並びに枠状胴体１の先端部を包むようにキャップ状係合頭部４０を、その係止突起４５が枠状胴体の第３被係合部９に対して係止状態に係合するように該枠状胴体に外嵌合したことを特徴とする。
【０００５】
【発明の実施の形態】
図１乃至１０図は、本発明の一実施例を示す各説明図である。図１は錠箱に装着した使用状態の一例を示す概略説明図、図２は各部材を結合した状態の斜視図、図３は分解斜視図である。本実施例は、４つの部材をパズル的に組み合わせて強靭なデッドボルトＸに構成している。
【０００６】
まず、１は一枚の金属板の中央部を折り曲げることにより形成された断面チャンネル形状の枠状胴体である。図３を基準にして枠状胴体１の各部の構成を説明する。２は長板状の中央ベース板部、３，３は中央ベース板部を基準にして左右に対向する一対の垂直側壁である。本実施例では、中央ベース板部２は下板に相当し、また左右一対の垂直側壁３，３は所要の空間４を有して対向している。
【０００７】
枠状胴体１は、その中央ベース板部２の後端部に長孔状の第１被係合部５を有し、一方、一対の垂直側壁３，３の先端部をそれぞれ切欠することによりできた同一受け面６，６の上部に後端部方向に向かって水平切欠状の第２被係合部７を有している。第１被係合部５及び第２被係合部７には、後述するアーム状芯棒の両端係合部がそれぞれ係合するので、長孔や切欠の大きさは、各係合部の形状に合わせて設定されている。
【０００８】
また枠状胴体１の中央ベース板部２の先端部寄り部位には、該中央ベース板部３の下面から外方向に突出する小突起状の第１係合部８が設けられている。この第１係合部８には、後述のコ字型嵌合板３０の係合孔３３が係合する。また枠状胴体１の垂直側壁３，３の先端部寄り部位には、窓状の第３被係合部９が設けられ入る。この第３被係合部９には、後述するキャップ状の係合頭部４０の係止突起４５が係合する。さらに、枠状胴体１の垂直側壁３，３の後端部には、水平長孔１０が形成されている。これらの水平長孔１０には、錠箱５０に横設された第１の固定軸５１が貫通状態に嵌挿している。
【０００９】
さらに、枠状胴体１について説明すると、１１，１１は同一受け面６，６より若干前に突出する最先端部、一方、１２，１２は錠箱５０に取付けられたデッドカム５２の作動アーム５３が係合する指状突出部分１３，１３を有する最後端部、１４，１４は垂直側壁３，３の上辺に連設するヒレ状突起部分、１５，１５はヒレ状突起部分と指状突出部分との間に設けられた前記作動アーム５３用切欠部分である。
【００１０】
なお、図１で示すように、前記ヒレ状突起部分１４の前方弧状斜面１４ａは錠箱５０に横設した第２固定軸５４に当り、またヒレ状突起部分１４の後方傾斜面１４ｂには作動アーム５３が当る。したがって、デッドボルトＸは、図１で示すデッドカム５２の作動アーム５３を介し、かつ、固定軸５１，水平長孔１０等に支持ないし案内されながら錠箱５０のフロント板５５の矩形状窓５６を基準にして進退動する。
【００１１】
次に２０は枠状胴体１の空間内に水平状態に組み込まれるアーム状芯棒である。このアーム状芯棒２０は枠状胴体１の垂直側壁３，３の上部内壁面に密着状態に介在接合する中央板部２１と、この中央板部２１の先端部に段差状折り曲げ部２２を介して連設する係合板部２３と、一方、中央板部２１の後端部に同様に段差状折り曲げ部２４を介して連設するアングル状板部２５とから成り、前記アングル状板部２５の端部には、枠状胴体１の第１被係合部５に係合するやや細幅の係合爪２６が設けられ、一方、前記係合板部２３の端部には、枠状胴体１の第２被係合部７，７に係合する耳状突起２７が設けられている。
【００１２】
次に３０は枠状胴体１の先端部側に差し込まれて該枠状胴体１と密着状態に合体する端面コ字型の嵌合板である。この嵌合板３０は、枠状胴体１の中央ベース板部２の先端部下面に添うように係合する下係合板部３１と、この下係合板部３１の先端部から垂直状態に立ち上がり、かつ、枠状胴体１の最先端部１１，１１内ないし垂直側壁３，３の先端部の上部内壁面に密着状態に嵌合するアングル状嵌合アーム部３２とから成り、前記下係合板部３１の中央部には、枠状胴体１の第１係合部８と係合する係合孔３３が形成され、また前記アングル状嵌合アーム部３２の立ち上がり部の中央部には、枠状胴体１の同一受け面６，６に当接する左右一対の小突起３４，３４が設けられている。
【００１３】
最後に４０は嵌合板３０並びに枠状胴体１の先端部を包むように嵌合するキャップ状係合頭部である。この係合頭部４０は後端開口４１の箱型形状である。開口４１の大きさ、又上壁４２，下壁４３，左右の側壁４４，４４等の幅寸法や長さ寸法は、デッドボルトに交差した側圧力が錠箱５０の窓５６の縁辺に集中的にかかることが有り得ることを考慮して適宜に設定されている。本実施例では、図１で示すように上壁４２，下壁４３等の長さは、錠箱５０の内部に至る長さに設定されていると共に、後端開口４１の縁部が外方向にやや反っている。また、左右の側壁４４，４４の内壁面には、枠状胴体１の第３被係合部９，９に係合する抜け防止用係止突起４５，４５が設けられている。
【００１４】
図８乃至図１０は、各部材の組み合わせ順序を示す概略説明図である。まず図８は、枠状胴体１の前後の第１及び第２被係合部５，７にアーム状芯棒２０の第１及び第２係合部２６，２７を係合状態に組み込んだ状態を示す。この場合芯棒２０の第１係合部２６を枠状胴体１の長孔５に差し込んだならば、芯棒２０をそのまま仮想線で示す位置から矢印で示す実線の位置まで水平移行させる。そうすると、芯棒２０の第２係合部２７は枠状胴体１の水平切欠部に入り込む。その結果、芯棒２０は枠状胴体１の先端部から後端部に至るまで該枠状胴体１の空間内に密着状態に組み込まれる。
【００１５】
次に図９は、枠状胴体１の先端部側に嵌合板３０を密着状態に合体させた状態を示す（説明の便宜上、他の部材は省略）。この場合下係合板部３１を枠状胴体１の中央ベース板部２の先端部下面に添うようにして矢印方向へと押し込む。そうすると、下係合板部３１の係合孔３３に枠状胴体１の突起８が係合し、また嵌合アーム部３２の左右の小突起３４，３４が枠状胴体１の同一受け面６，６に当接する。この時同一受け面６，６はストッパーとしての機能を発揮すると共に、アングル状嵌合アーム部３２は枠状胴体の先端部内に入り込む。
【００１６】
最後に図１０は、枠状胴体に係合頭部４０を外嵌合した状態を示す（説明の便宜上、他の部材は省略）。係合頭部４０を矢印方向に押し込むと、左右側壁４４の係止突起４５が該枠状胴体１の窓９にそれぞれ係合する。係止突起４５は係止面を有しているので、係合頭部４０は枠状胴体の第３被係合部９に対して係止状態になる。
【００１７】
【実施例】
本実施例では枠状胴体１に第１乃至第３被係合部５，７，９や第１係合部８を形成し、これらの被係合部５，７，９や第１係合部８に係合する他の部材２０，３０，４０には、対応して係合部又は被係合部をそれぞれ形成しているが、被係合部と係合部との関係は、当業者が極めて容易に変更し得ることである。また、例えばアーム状芯棒２０の先端部をアングル状板部に形成し、一方、その後端部を耳状突起に設計変更し、枠状胴部１の第１及び第２被係合部の形成箇所をこれに対応するように逆にすることも当業者が極めて容易に変更し得ることである。したがって、細部に関する設計変更は均等事項である。
【００１８】
【発明の効果】
以上の説明から明らかなように、本発明にあっては、次に列挙するような作用・効果がある。
（１）各構成部品を合理的に組み合わせ、色々な方向から力が加わっても容易に変形しない強靭なデッドボルトを得ることができる。
（２）４個の部品を用い、いわゆるワンタッチ方式で簡単に各部材を強固に結合することができる。
【図面の簡単な説明】
図１乃至図１０は本発明の一実施例を示す各概略説明図。
【図１】錠箱に装着した使用状態の一例を示す概略説明図。
【図２】各部材を結合した状態の斜視図。
【図３】分解斜視図。
【図４】右側面からの説明図。
【図５】図２の５−５線概略断面説明図。
【図６】図２の６−６線概略断面説明図。
【図７】使用状態の一例を平面から見た概略説明図。
【図８】枠状胴体に芯棒を係合状態に組み込む説明図。
【図９】枠状胴体に嵌合板を合体させる説明図。
【図１０】枠状胴体に係合頭部を外嵌合する説明図。
【符号の説明】
Ｘ…デッドボルト、１…枠状胴体、２…中央ベース板部、３…垂直側壁、４…空間、５…第１被係合部、６…同一受け面、７…第２被係合部、８…第１係合部、９…第３被係合部、１０…水平長孔、１１…最先端部、１２…最後端部、１３…指状突起部分、１４…ヒレ状突起部分、２０…芯棒、２１…中央板部、２２，２４…折り曲げ部、２３…係合板部、２５…アングル状板部、２６…係合爪、２７…耳状突起、３０…嵌合板、３１…下係合板部、３２…嵌合アーム部、３３…係合孔、３４…小突起、４０…係合頭部、４１…後端開口、４５…係止突起、５０…錠箱、５１…第１の固定軸、５３…作動アーム。
【図１】
2004068339.tif 000003
【図２】
2004068339.tif 000004
【図３】
2004068339.tif 000005
【図４】
2004068339.tif 000006
【図５】
2004068339.tif 000007
【図６】
2004068339.tif 000008
【図７】
2004068339.tif 000009
【図８】
2004068339.tif 000010
【図９】
2004068339.tif 000011
【図１０】
2004068339.tif 000012